(57)【特許請求の範囲】
【請求項１】
複数の表示パネルからなる表示ユニットを筐体に複数配列して構成される映像表示装置において、前記表示ユニットは、前記複数の表示パネルが取り付けられた固定用ブラケットと、前記固定用ブラケットの上部側に設けられた上部側ブラケットと、前記固定用ブラケットの下部側に設けられた下部側ブラケットと、前記下部側ブラケットに設けられた第１の係合体と、前記上部側ブラケットに設けられた前記第１の係合体と係合される第２の係合体と、前記上部側ブラケットに設けられ前記筐体の横フレームに取り付ける固定用サポートとから構成されたことを特徴とする映像表示装置。
【請求項２】
前記第１の係合体は位置決め突起であり、前記第２の係合体は位置決め穴であることを特徴とする請求項1に記載の映像表示装置。
【請求項３】
前記表示ユニットの最下段は前記筐体のベースに係合されることを特徴とする請求項１または請求項２に記載の映像表示装置。
【請求項４】
前記筐体のベースは曲面状に形成され、前記曲面状の前記ベースに対応して前記筐体のフレームを曲面状に形成し、前記表示ユニットを曲面状に配列したことを特徴とする請求項１から請求項３のいずれか１項に記載の映像表示装置。
【発明の詳細な説明】
【技術分野】
【０００１】
この発明は、例えば複数の表示パネルを備えた表示ユニットを上下左右方向に複数台連結することにより映像を表示する映像表示装置に関するものである。
【背景技術】
【０００２】
従来の例えば複数の表示パネルを備えた表示ユニットを上下左右方向に複数台連結することにより映像を表示する映像表示装置としては、実開平１−１２７１１４号公報（特許文献１）に示すようなものがある。これは、一つの取り付け部材に表示素子が複数配列された表示ユニットを縦方向に複数固定し、筐体に突起を設け、突起に係合される係合口を取り付け部材に形成し、表示ユニットが縦方向に複数固定された取り付け部材の係合口を筐体の突起に係合させることにより表示ユニットが縦方向に複数固定された取り付け部材を仮支えしてねじで固定する。他の表示ユニットが縦方向に複数固定された取り付け部材を同様に取り付けることにより映像表示装置を組み立てていくものである。
【０００３】
また、従来の他の映像表示装置としては、特開２００４−３５４５６９号公報（特許文献２）に示すようなものがある。これは、表示素子が複数配列された表示パネルを筐体に上下左右に複数固定して表示ユニットを構成し、この表示ユニットを上下左右に複数固定して映像表示装置を組み立てていくものである。
【０００４】
さらに、従来の他の映像表示装置としては、特許第３６６５０４１号公報（特許文献３）に示すようなものがある。これは、ＬＥＤが複数配列された表示パネルを筐体に上下左右に複数固定して表示ユニットを構成し、この表示ユニットを上下左右に複数固定して映像表示装置を組み立てていくものである。
【先行技術文献】
【特許文献】
【０００５】
【特許文献１】実開平１−１２７１１４号公報
【特許文献２】特開２００４−３５４５６９号公報
【特許文献３】特許第３６６５０４１号公報
【発明の概要】
【発明が解決しようとする課題】
【０００６】
上述した従来の特許文献1に記載の映像表示装置は、表示ユニットを取り付ける筐体側
の精度が出ていない場合は、表示ユニット間にズレが発生し易い。また、平面での大画面は対応できるが、Ｒスクリーン等様々な形状の大画面の映像表示装置の形成は難しいという問題点があった。
【０００７】
また、特許文献２に記載の映像表示装置は、表示ユニットを取り付ける筐体側の精度が出ていない場合は、表示ユニット間にズレが発生し易い。また、平面での大画面は対応できるが、Ｒスクリーン等様々な形状の大画面表示装置の形成は難しいという問題点があった。
【０００８】
また、特許文献３に記載の映像表示装置は、表示ユニットを取り付ける筐体側の精度が出ていない場合は、表示ユニット間にズレが発生し易い。また、平面での大画面は対応できるが、Ｒスクリーン等様々な形状の大画面表示装置の形成は難しいという問題点があった。
【０００９】
このように、表示ユニット間にズレが発生し、大画面表示した場合に表示のズレおよび暗線・明線等が表われる。表示ユニットを筐体に固定するのは現地作業となり、ズレが生じた場合、表示ユニット側に調整代が無いために調整できず、スペーサ等を挟みこんで調整する等の作業が発生するという問題があった。スペーサを使用する場合、表示装置の設置場所が狭く作業性が悪いため、下に落とした場合、排除することが出来ないという問題もある。
【００１０】
この発明は、上記のような課題を解決するためになされたものであり、その目的は、表示ユニットの組立精度を高度化することができる映像表示装置を提供するものである。
【課題を解決するための手段】
【００１１】
この発明に係わる映像表示装置は、複数の表示パネルからなる表示ユニットを筐体に複数配列して構成される映像表示装置において、前記表示ユニットは、前記複数の表示パネルが取り付けられた固定用ブラケットと、前記固定用ブラケットの上部側に設けられた上部側ブラケットと、前記固定用ブラケットの下部側に設けられた下部側ブラケットと、前記下部側ブラケットに設けられた第１の係合体と、前記上部側ブラケットに設けられた前記第１の係合体と係合される第２の係合体と、前記上部側ブラケットに設けられ前記筐体の横フレームに取り付ける固定用サポートとから構成されたものである。
【発明の効果】
【００１２】
この発明に係わる映像表示装置によれば、表示ユニットの組立精度を高度化することができる映像表示装置を得ることができる。
【図面の簡単な説明】
【００１３】
【図１】この発明の実施の形態１に係わる映像表示装置を示す斜視図である。
【図２】この発明の実施の形態１に係わる映像表示装置における表示ユニットを示す斜視図である。
【図３】この発明の実施の形態１に係わる映像表示装置における表示ユニットを示す斜視図である。
【図４】この発明の実施の形態1に係わる映像表示装置の組立状態を示す斜視図である。
【図５】この発明の実施の形態1に係わる映像表示装置における表示ユニットの組立状態を示す斜視図である。
【図６】この発明の実施の形態1に係わる映像表示装置における表示ユニットの組立状態を示す斜視図である。
【図７】この発明の実施の形態１に係わる映像表示装置における固定用ブラケットを示す斜視図である。
【００１４】
【図８】この発明の実施の形態２に係わる映像表示装置における表示ユニットを示す斜視図である。
【図９】この発明の実施の形態３に係わる映像表示装置を示す斜視図である。
【図１０】この発明の実施の形態３に係わる映像表示装置を示す斜視図である。
【発明を実施するための形態】
【００１５】
実施の形態１．
以下、この発明の実施の形態１を図１〜図６に基づいて説明するが、各図において、同一、または相当部材、部位については同一符号を付して説明する。図１はこの発明の実施の形態１に係わる映像表示装置を示す斜視図である。図２はこの発明の実施の形態１に係わる映像表示装置における表示ユニットを示す斜視図である。図３はこの発明の実施の形態１に係わる映像表示装置における表示ユニットを示す斜視図である。図４はこの発明の
実施の形態1に係わる映像表示装置の組立状態を示す斜視図である。図５はこの発明の実
施の形態1に係わる映像表示装置における表示ユニットの組立状態を示す斜視図である。
図６はこの発明の実施の形態1に係わる映像表示装置における表示ユニットの組立状態を
示す斜視図である。図７はこの発明の実施の形態１に係わる映像表示装置における固定用ブラケットを示す斜視図である。
【００１６】
これら各図において、映像表示装置１は筐体２に複数の表示ユニット３が上下左右に隙間無く配置されて構成される。表示ユニット３は、例えば有機ＥＬなどの表示パネル４を複数実装されて構成されており、この表示パネル４には画素が行列状に配置されている。
【００１７】
ここで表示ユニット３の寸法精度と組立精度が重要であり、表示ユニット３間にズレが生じると大画面表示した場合に表示のズレ及び暗線・明線等が表われる。表示ユニット３のズレは、表示のズレになって現われ、表示ユニット３間の寸法のばらつきは、例えば隣接する表示ユニット３の間隔が広すぎると、表示ユニット３間の画素間隔の拡大が輝度の低下として知覚されることで暗線となり、逆に隣接する表示ユニット３の間隔が狭すぎると、表示ユニット３間の画素間隔の短縮が輝度の向上として知覚されることで明線となる。
【００１８】
ここでは表示ユニット３の寸法精度を改善するために、図２および図３に示すように、表示ユニット３は、固定用ブラケット５に取り付けられ、固定用ブラケット５の上部側に設けられた上部側ブラケット６と、固定用ブラケット５の下部側に設けられた下部側ブラケット７と、表示パネル４と、上部側ブラケット６に取り付けられた固定用サポート１０と、基板（図示せず）で構成され、表示ユニット３単体での寸法が高精度化できる。さらに各表示ユニット３を高精度の筐体２のベース１１に積み上げることで、大型の映像表示装置１を高精度で組立てることができる。
【００１９】
下部側ブラケット７には例えば位置決め突起で構成された第１の係合体８が設けられ、上部側ブラケット６には位置決め突起で構成された第１の係合体８が嵌合する例えば位置決め穴で構成された第２の係合体９が設けられている。
【００２０】
この構造によれば、まず表示ユニット３単体での寸法精度が重要である。表示ユニット３は、図７に示すように、固定用ブラケット５のＡ寸法の精度を要求されるので、固定用ブラケット５の形状は板金部品の抜き加工部分で精度を必要とする形状を形成し、各固定用ブラケット（図示せず）の固定部分の曲げ部については固定用ブラケット５間にクリアランスを設けて固定する方法を取る。こうすることで、抜き加工部分の精度のみで管理できるので、表示ユニット３の精度が出すことができる。また、部品の精度のみではなく、組立治具を用いることで、表示パネル４を含む構成部品の組立てによるバラツキも無くなる。
【００２１】
次に表示ユニット３を積み上げるための基準となる筐体２のベース１１が重要である。筐体２のベース１１は、図４〜図６に示すように、表示ユニット３の位置を設定するための位置設定穴１１ａが加工されている。このベース１１および位置設定穴１１ａの寸法精度を出すことで、表示ユニット３の位置が設定される。
【００２２】
最下段に位置する表示ユニット３の下部側ブラケット７に設けられた位置決め突起で構成された第１の係合体８を筐体２のベース１１に設けられた位置設定穴１１ａに差し込み、固定用サポート１０を固定ネジ１２により筐体２の横フレーム２１に固定する。これにより、最下段に位置する表示ユニット３の取り付けが完了する。なお、横フレーム２１を補強する縦フレーム２２が設けられている。
【００２３】
この積み上げ構造により、一番下側の表示ユニット３をベース１１にて精度良く組立てた後は、表示ユニット３の上に、別の表示ユニット３の位置決め突起で構成された第１の係合体８を位置決め穴で構成された第２の係合体９に差し込み積み上げていくことで、表示ユニット３間のズレを最小限にした大画面の表示装置１が形成できることになる。但し、この積み上げ方式で精度を出す場合は、筐体２のベース１１の精度と表示ユニット３の精度が要求されることになる。
【００２４】
そして、隣の一番下側の表示ユニット３をベース１１にて精度良く組立てた後は、表示ユニット３の上に、別の表示ユニット３の位置決め突起で構成された第１の係合体８を位置決め穴で構成された第２の係合体９に差し込み積み上げていくことで、表示ユニット３間のズレを最小限にした大画面の表示装置１が形成できることになる。
【００２５】
実施の形態２．
この発明の実施の形態２を図８に基づいて説明する。図８はこの発明の実施の形態２に係わる映像表示装置における表示ユニットを示す斜視図である。
【００２６】
筐体２のベース１１の精度が出ていない場合、表示ユニット３を固定ネジ１２で固定すると、筐体２の精度に左右されて、表示ユニット３が傾いた状態で固定されることになる。筐体２の精度が出ていない場合は、図８に示すように、固定用サポート６１が前後左右及び回転方向に自由に可動できるように構成しており、固定ネジ１２を緩め、固定用サポート６１を可動させることにより筐体２の精度不足に左右されることなく表示ユニット３を水平、垂直に精度よく固定することができる。
【００２７】
この積み上げ構造により、一番下側の表示ユニット３を筐体２のベース１１にて精度良く組み立てた後は、表示ユニット３の上に、別の表示ユニット３の位置決め突起で構成された第１の係合体８を位置決め穴で構成された第２の係合体９に差し込み積み上げていくことで、表示ユニット３間のズレを最小限にした大画面の映像表示装置１が形成できることになる。
【００２８】
このように、この積み上げ方式、また固定用サポート６１が自由に固定位置を調整できるようにしたことにより、表示ユニット３間のズレを補正することができ、大画面の映像表示装置１が形成できるメリットがある。
【００２９】
実施の形態３．
この発明の実施の形態３を図９および図１０に基づいて説明するが、各図において、同一、または相当部材、部位については同一符号を付して説明する。図９はこの発明の実施の形態３に係わる映像表示装置を示す斜視図である。図１０はこの発明の実施の形態３に係わる映像表示装置を示す斜視図である。
【００３０】
上述した各実施の形態においては映像表示装置１が平面的な場合について述べたが、この発明の実施の形態３においては、筐体２のベース１１の形状を曲面であるＲ形状に形成し、このＲ形状のベース１１に対応して筐体２の横フレーム（図示せず）の形状を曲面であるＲ形状に形成することにより、表示ユニット３を曲面状に配列させることができるので、図９および図１０に示すような曲面であるＲスクリーン（凹凸）が形成でき、様々なパターンの形状が可能となる。例えばＲ形状は、図９および図１０の凸型や凹型の曲率を任意に設定できる。さらに、凸型や凹型に限らず、波型などの特殊な構造にも対応できる。
【００３１】
ところで、上述した各実施の形態においては、表示ユニット３を縦方向に積み上げて組み立てた後、隣の表示ユニット３を順次縦方向に積み上げて組み立てていく場合について
述べたが、これに限定されるものではなく、最下段の表示ユニット３を横方向にすべて筐体２のベース１１に組み付けた後、２段目以降の表示ユニット３を横方向にすべて前段の表示ユニット３に組み付けるようにしてもよく、同様の効果を奏する。
【００３２】
また、第１の係合体８は位置決め突起で構成され、第２の係合体９は位置決め穴で構成された場合について述べたが、これに限定されるものではなく、第１の係合体８は位置決め穴で構成され、第２の係合体９は位置決め突起で構成されようにしてもよく、同様の効果を奏する。なお、この場合は筐体２のベース１１には位置設定穴１１ａではなく位置設定突起が設けられる。
【００３３】
なお、この発明は、その発明の範囲内において、各実施の形態を自由に組み合わせたり、各実施の形態を適宜、変形、省略することが可能である。
【産業上の利用可能性】
【００３４】
この発明は、表示ユニットの組立精度を高度化することができる映像表示装置の実現に好適である。
【符号の説明】
【００３５】
１  映像表示装置
２  筐体
３  表示ユニット
４  表示パネル
５  固定用ブラケット
６  上部側ブラケット
７  下部側ブラケット
８  第１の係合体
９  第２の係合体
１０  固定用サポート
１１  ベース
１１ａ  位置設定穴
１０１  固定用サポート
【図１】
0005999940.tif 000002
【図２】
0005999940.tif 000003
【図３】
0005999940.tif 000004
【図４】
0005999940.tif 000005
【図５】
0005999940.tif 000006
【図６】
0005999940.tif 000007
【図７】
0005999940.tif 000008
【図８】
0005999940.tif 000009
【図９】
0005999940.tif 000010
【図１０】
0005999940.tif 000011